(57)【要約】      （修正有）【課題】歯周病の予防を目的として、歯と歯肉の間の歯垢を取り除き易くなるように、歯の回りの歯と歯肉の境の歯周に沿って毛束の列を並べた歯間磨き歯ブラシを提供する。【解決手段】歯ブラシ１のヘッド２に毛束を歯ブラシ１の長手方向と略直角方向に横部毛束３ｂを並べ、刷毛略歯の幅（例えば６ｍｍ間隔）で略平行に並べ並列歯間ブラシ部としたものを示し、各毛束の列は、歯と歯の間に収まりやすく、一本の歯の両脇を同時に清掃する。顔に対し、歯ブラシ１の長手方向を左右方向に持ち手位置とし、主に上下可動させて毛束の列である横部毛束３ｂを歯間に合わせ効率的に磨くことができる。また、同時に各毛束の列が下駄の歯の様に歯の歯間の両側を捉えることにより歯ブラシが歯から横ズレせずに歯間や歯周ポケットを捉え安定的に可動可能となる。【選択図】図２
0003163229.tif 000002
【実用新案登録請求の範囲】
【請求項１】
略平面部材に毛束を植毛した歯ブラシにおいて、歯と歯の間の略隙間幅に合わせた間隔で刷毛となる毛束の列を略並列に対で並べ植毛し、並列歯間ブラシ部とした事を特徴とする歯間磨き歯ブラシ
【請求項２】
略平面部材に毛束を植毛した歯ブラシにおいて、略歯の並びに沿った曲線状に毛束の列を並べて、又は略歯の並びに沿った曲線状に毛束の先端を並べて毛束の列を植毛し曲線ブラシ部とした事を特徴とする歯間磨き歯ブラシ
【請求項３】
前記記載の曲線ブラシ部において、曲線ブラシ部を略並列に対で並べ配設し、歯並びブラシ部とした事を特徴とする請求項２に記載の歯間磨き歯ブラシ
【請求項４】
前記記載の並列歯間ブラシ部において並列末端の一端に末端を毛束の列を繋ぐ様に毛束を植毛する事により、並列歯間ブラシ部を略Ｕ字状に形成しＵ字歯間ブラシ部とした事を特徴とする請求項１に記載の歯間磨き歯ブラシ
【請求項５】
前記記載の歯並びブラシ部において並列末端の一端に毛束の列の末端を繋ぐ様に毛束を植毛する事により、歯並びブラシ部を略Ｕ字状に形成し歯並びＵ字ブラシ部とした事を特徴とする請求項３に記載の歯間磨き歯ブラシ
【請求項６】
前記記載の並列歯間ブラシ部において並列末端の両端を毛束の列を繋ぐ様に毛束を植毛する事により、並列歯間ブラシ部を略楕円形状に形成し楕円形歯間ブラシ部とした事を特徴とする請求項１に記載の歯間磨き歯ブラシ
【請求項７】
前記記載の歯並びブラシ部において並列末端の両端を毛束の列を繋ぐ様に毛束を植毛する事により、歯並びブラシ部を略楕円形状に形成し歯並び楕円形ブラシ部とした事を特徴とする請求項３に記載の歯間磨き歯ブラシ
【請求項８】
前記記載の並列歯間ブラシ部、又はＵ字歯間ブラシ部、又は楕円形歯間ブラシ部を複数隣接し併設した事を特徴とする請求項１、及び請求項４、及び請求項６の何れか一項に記載の歯間磨き歯ブラシ  
【考案の詳細な説明】
【技術分野】
【０００１】
本考案は、主として歯と歯肉の間の歯垢を取り除くための歯間磨き歯ブラシに関するものである。
【背景技術】
【０００２】
従来、歯ブラシは歯の表面を磨く事が主体となり、歯間を磨くものとして、歯間ブラシや、デンタルフロスなどが有る。近年虫歯の予防が向上し虫歯の発生率は低下したが、年齢を経ると共に、歯周病で歯を失うケースが増えてきた、従来の歯ブラシで歯間を磨く方法や、毛束を一本としたブラシ等で、歯間や歯と歯肉の間の隙間（以後歯周ポケットと称す）を清掃する方法が行われたりしているが、効率が悪く、各歯を手入れするには時間が掛かり過ぎ、ついつい、手抜きになってしまったり、一本の毛束では力が分散されず毛束に荷重が集中しすぎると共に、歯ブラシ自体の寿命も短かった。
【０００３】
特許文献１に、「本考案は口腔内において自浄作用の無い不潔域を効率よく磨くのに好適なＶ字型歯ブラシに関するものである。」また、「本考案の第１のＶ字型歯ブラシは、歯牙の高径が、一般的に犬歯＞第一小臼歯＞第二小臼歯＞第一大臼歯＞第二大臼歯と奥に行くほど低くなっているため、奥ほど小さく、手前ほど大きく開いたＶ字型が、咬頭をまたいで効率よく不潔域である歯頚部に毛先をフィットさせることができ、歯周病を予防することが出来る。」とあるが、Ｖ字型が、咬頭をまたぎ易いのかはさだかでないが、Ｖ字部の一部が各歯単位にそれぞれに高さに合わせて、Ｖ字部を対応させながら磨く事になり、歯並びに合わせた、複数歯の磨きや、外側の歯の並びに対しては毛束の列の並びが直線状の為に歯の一部が当たるのみであると共に、歯の内側の並びの曲線部には、対応出来ない。また、一本単位で歯を包む様にも磨けない。
特許文献２に、「歯ブラシの毛の取り付け部周辺に穴をあけ，そこに流水を通したり，口に含んだ空気を吹きつけることにより，歯ブラシ自身についたゴミを取る。」と記載されているように、歯ブラシ自体の清掃を目的として、穴をあけたものである。
特許文献３に、「植毛面１１に毛束２０あるいはスポンジ体９０等からなる清掃部材を植設した歯ブラシのヘッド１０において、上記植毛面に非植毛エリア１３を構成したもので、毛束２０の一部または全部をヘッド１０の中央縦軸１５あるいは中央横軸１６に対して、非対称位置に植毛したり、毛束２０を植毛した植毛エリアおよび非植毛エリアをヘッド１０と別体のパーツ５１によって構成し、このパーツ５１をヘッド１０に対して着脱自在に装着する。」また「そこで、本発明は、１本の歯ブラシにより、可能な限り各個人の口腔内状況に適応させた歯ブラシのヘッドを提供することを目的とする。」と記載されているように、植毛パーツをヘッド部に対して着脱自在に装着し、植毛面に非植毛エリアを構成しようとするものであり、各個人の口腔内状況に適応させた形状を形成しようとするもので、特に歯間部や歯周ポケットの清掃をねらったものではない。
特許文献４に、「歯ブラシは使用中にブラシにまとわり付くゴミなどが、ブラシとの付け根中央部にたまりやすく、それを取りのぞく為に色々と大変だった。
（イ）ブラシ付け根部分を指や水、他の道具を使ってゴミを取ったりして難しかった（ロ）ブラシ付け根中心部が通風性、水きれが悪く不衛生的だった。」
と記載されているように、洗浄性を考慮した歯ブラシである。
【先行技術文献】
【特許文献】
【０００４】
【特許文献１】実用新案登録第３１４２５５８号
【特許文献２】特開平１０−１１７８４７
【特許文献３】特開２００３−２８９９４４
【特許文献４】特開平７−３２２９１７
【考案の開示】
【考案が解決しようとする課題】
【０００５】
歯周疾患の目安となる歯周病疾患の歯周ポケットの目安は４ｍｍ以上と言われ、５０代の人で約半数に達すると共に、高齢者の歯周疾患患者が増加している。これは、８０２０運動の推進などにより、残存歯数の増加が歯周疾患の増加に関わっていると考えられる。
上記特許文献で示したように、歯周病対策としての効果的な歯周回りを清掃するものの開示は無く、その上、本考案の特徴である歯間に合わせて平行に清掃や、一本の歯を集中的に包み込むようにして清掃するものや、歯並びの曲線に合わせて外側、内側の歯周ポッケトの清掃効率を上げるものに関するものもない。
本考案は、歯周病の元となる歯周ポケットの歯垢を効率よく清掃し、歯周病による口臭や歯の抜歯に至る歯の喪失をなくそうとするものである。
【課題を解決するための手段】
【０００６】
本考案の歯間磨き歯ブラシは、歯の回りの歯と歯肉の境の歯周に沿って毛束の列を並べた歯ブラシである。
毛束の並びは、歯と歯の隙間に沿わせ、帯状に毛束を並べ列とし、略平行に二列に並べたものであり、歯ブラシの柄を可動する事により、歯と歯の間の歯側面部歯周ポケットを効率的に清掃するものである。又、歯側面部から、歯の前側又は、裏側の正面部に至歯周ポケットを同時に清掃する為に、正面部磨き部を組み合わせ、略Ｕ字形や楕円形状に毛束を並べたものである。
また、これらを隣接し複数並べ歯の正面部から側面部の歯周ポケットを複数歯同時に清掃しようとするものである。
さらに、歯の外側、内面の曲線状に並んだ歯並びに合わせた曲線ブラシ部を設け、さらには、２列の対峙する曲線状に毛束を並べブラシ部とした、その上、Ｕ字状や、楕円リング状としたものである。
【考案の効果】
【０００７】
本考案の歯間磨き歯ブラシは、歯周病の主な原因となる歯周ポケットの清掃を簡単に効率よく行い、日頃横着になりがちな歯周の手入れを促す歯間磨き歯ブラシである。
歯周ポケットは各歯の周囲の歯肉（歯茎とも言う）に歯垢が溜まり歯垢が時間の経過と共に歯根膜とセメント質の間に歯石を形成し、歯石の中に細菌が住み着き、歯周病を引き起こす。また、歯垢は約１日で歯石に変わり始めると言われている。歯石は硬くブラッシングでは取り除けず、日頃から歯垢が歯石になる前に取り除く事が重要です。しかし、歯と歯の間は一般の歯ブラシでは清掃が難しく、丁寧に各歯の周辺を清掃するのは大変な労力が掛かると共に、綺麗に清掃するのは至難の業であり、今までブラッシングだけでは、５０パーセントまでの清掃が限度とも言われてきました。本考案の歯間磨き歯ブラシは、歯間に合わせた毛束の列を並べたり、歯周に合わせた毛束の列をＵ字状に配設したり、それらを複数並列、交互に並べたり、歯並びに沿って外側や、内側の曲線状に毛束を並べたりする事により、簡単に手早く、効率的に歯の周囲や歯間、特に歯と歯茎の歯周ポケットの清掃が出来、歯周病予防に効果的です。
【図面の簡単な説明】
【０００８】
【図１】毛束の列を並列に並べた歯ブラシの実施例の平面図と正面図を示す。
【図２】毛束の列をＵ字状に並べた歯ブラシの実施例の平面図と正面図を示す。
【図３】前歯を磨いている状態の実施例の斜視図を示す。
【図４】歯の各部をＵ字状に並べた歯ブラシで磨いている状態の斜視図を示す。
【図５】毛束の列をＵ字状に並べた他の実施例の平面図を示す。
【図６】毛束の列を連続して並べた他の実施例の平面図を示す。
【図７】毛束の列を略楕円状に並べた平面図と正面図を示す。
【図８】毛束の列を略楕円状に並べた他の実施例の平面図を示す。
【図９】毛束の列をＵ字状に並べた歯ブラシの他の実施例。
【図１０】毛束の列を曲線状に２列対峙させて並べた他の実施例の平面図と正面図を示す。
【図１１】毛束の列を曲線状に２列並べた使用状態の一部断面のある斜視図を示す。
【図１２】歯磨き時の各歯の磨き状態の一部断面図を示す。
【図１３】毛束の列をＵ字状に並べ内側に短い毛束を配した他の実施例の斜視図を示す。
【図１４】毛束の列をＵ字状に並べ毛束の列の先端を斜めに植毛した他の実施例の斜視図を示す。
【図１５】毛束の列を曲線状に一列に並べたものとヘッドの両側に並べた他の実施例の平面図と、正面図である。
【図１６】毛束の列を曲線状に一列に並べ、毛束先端を曲線状としたものとヘッドの両側に並べた他の実施例の平面図と、正面図である。
【図１７】毛束の列を曲線状、楕円状に並べたものに短くした毛束をその周辺、内側に配設した斜視図である。
【考案を実施するための形態】
【０００９】
＜第１の実施形態１＞
図１（ａ）（ｂ）は、平面図と正面図を示し、歯ブラシ１のヘッド２に毛束３を歯ブラシ１の長手方向と略直角方向に横部毛束３ｂを並べ、刷毛略歯の幅（例えば６ｍｍ間隔）で略平行に並べ並列歯間ブラシ部９としたものを示し、各毛束の列は、歯と歯の間に収まりやすく、一本の歯の両脇を同時に清掃するもので、顔に対し、歯ブラシ１の長手方向を左右方向に持ち手位置とし、主に上下可動させて毛束の列である横部毛束３ｂを歯間に合わせ効率的に磨けます。また、同時に各毛束の列が下駄の歯の様に歯の歯間の両側を捉えることにより歯ブラシが歯から横ズレせずに歯間や歯周ポケットを捉え安定的に可動可能となるものです。
＜変形例１＞
また、図１（ｃ）はヘッド長手方向と平行に毛束３の列を植毛配置し、並列歯間ブラシ９としたものを示し、顔に対し、歯ブラシ１の長手方向を上下方向に持ち手位置とし、ブラシ部を歯に当て、主に上下可動を行うものです。また、前記と同じ効果が有ります。
【００１０】
＜第２の実施例＞
図１５（ａ）は、ヘッド２に略歯の並びに沿った曲線状に毛束３の列を並べて曲線ブラシ部１７としたものを示す、また、ヘッド２は曲線ブラシ部１７の湾曲に合わせて湾曲し、柄１５に接続されている。曲線ブラシは、歯並びに沿って、歯間や歯周部にブラシ先端が当たり、複数歯の歯周ポケットを同時に効率的に清掃可能となります。
＜変形例１＞
図１５（ｂ）は、ヘッド２に略歯の並びに沿った曲線状に毛束３の列を並べて曲線ブラシ部１７としたものであり、毛束３はヘッドの両側に植毛され、両側に曲線ブラシ部１７がもうけられたもので、歯の並び外側の右側を曲線ブラシ部１７の片面で、反対側で、外側左側の様に、左右上下、内外側の歯の並び曲線に対応するものである。また、ヘッド２は曲線ブラシ部１７の湾曲に合わせて湾曲し、柄１５に接続されている。曲線ブラシ部１７は、歯並びに沿って、ブラシ部先端が当たり、複数歯の歯周ポケットを効率的に清掃可能となる。
＜変形例２＞
図１６（ａ）は、ヘッド２に略歯の並びに沿った曲線状に毛束３の列を並べて曲線ブラシ部１７としたものであると共に、ヘッド２の植毛面も湾曲させ、毛束３の先端のラインも湾曲させたものである。図示しないが、毛束３の先端ラインは凸状でもよく、図１５（ａ）の様にヘッド両面に植毛してもよいものである。
＜変形例３＞
また。図１６（ｂ）は、直線状のヘッド２を図上で示す上下方向に湾曲させ、毛束３を植毛し先端湾曲の曲線ブラシ部１８の先端を湾曲させたものであり、先端湾曲の曲線ブラシ部１８は両面に植毛し、毛束３の先端は上面は凹状の湾曲、下面は凹状の湾曲を形成し、凹面は歯の外側、凸面は歯の内側を主に清掃する。また、図示しないが、直線状のヘッド２に毛束３の長さを変えて毛束の先端列を湾曲させ先端湾曲の曲線ブラシ部１８としても良いものである。
また、毛束はヘッド２に垂直に植毛した状態を示しているが、ヘッド２の曲面に対して直角に植毛しても、斜めに植毛してもよいものである。
また、図示しないが、毛束の止め方は、毛束の長さの中心を折り曲げ金具で、ヘッドの穴に止める方法が従来からの一般的な方法であるが、ヘッドの両側に毛束を植毛する場合ヘッドに貫通穴をあけ毛束を差し込みサイドから留め具で止める方法がある。本考案では、毛束の止め方はとくに特定するものではない。
＜変形例４＞
また、図１７（ａ）は歯ブラシ１の柄１５の先に設けたヘッド２を略歯の並びに沿って湾曲させ、毛束の列を並べ曲線ブラシ部１７を形成し、曲線ブラシ部１７の根元付近に曲線ブラシ部１７の毛束より短くした毛束、短い毛束３ｃを並べたもので、曲線ブラシ部１７は歯間部や歯周ポケットを主に磨き、短い毛束３ｃは歯の表面を磨くものである。ここで図上の下側手前にも曲線ブラシ部１７を設けたもので、奥側には短い毛束３ｃを設けることにより、図下側で歯並びの内側を清掃時、短い毛束３ｃが歯表面を主に磨くことになる。短い毛束３ｃは一列であるが、曲線ブラシ部の両サイドに並べてもよいものである。
＜第３の実施形態＞〉
図２（ａ）（ｂ）は、平面図と正面図を示し、歯ブラシ１のヘッド２に毛束の列を長手方向と略平行方向に略歯の幅（例えば約６ｍｍ）で略平行に横部毛束３ｂ並べ、各毛束列の先端側に、毛束の列を繋げる様に閉じ部毛束３ａを植毛し、略Ｕ字状の並列Ｕ字歯間ブラシ部１１としたもので、結果、一本の歯の歯と歯肉の境の外側、内側の片面を覆う様に毛束を植毛したものである。各毛束の列は、歯を覆う様に歯を囲み、歯一本の回りの歯周ポケットに毛束の先端が収まり易くしたものである。このため、歯の１本を丁寧に意識しながら効率的に磨けると同時に、各毛束の列が歯を包む込み、歯ブラシ全体が横滑り等の歯からのズレを押え安定的に可動可能となる。また、磨きにくい、奥歯の一番奥側を包み込むように清掃出来る。
また、図３は、前歯の歯４の前面から、前歯の一本を包み込むように対応した使用状態を示し、正面歯肉５ａ付近を閉じ部毛束３ａが当たり、側面歯肉５ｂ部を横部毛束３ｂが当たると共に、並列Ｕ字歯間ブラシ部先端１１ａが前歯の片側を包み込むように清掃する状態を示す。
また、図４は、下顎の各歯に各方向から刷毛部が歯を包む様に押し当てた状態を示し、前歯Ａを内側から、犬歯Ｂを前側から、奥歯Ｃを奥側から清掃する状態を示し、いずれもそれぞれの歯に対し包み込むように、歯の周囲の歯と歯肉の間に適切に毛先があたり、Ｕ字状に並べた並列Ｕ字歯間ブラシ部１１の毛先、並列Ｕ字歯間ブラシ部先端１１ａが歯周ポケットを的確に捉える様子を示し、それぞれの歯の歯周ポケットを効率的に清掃する。
＜変形例１＞
図２（ｃ）は、略平行に並べた毛束の列、横部毛束３ｂの一端に毛束の列を繋ぐ様に閉じ部毛束３ａを植毛し、略Ｕ字状とし並列Ｕ字歯間ブラシ部１１を構成し、一本の歯の歯と歯肉の境を覆う様に毛束を植毛したものであり、柄の下側を持ち下顎の歯の外側を磨くのに適している、また、前記と同じ効果が有る。
図５は、ヘッド２ａに毛束押さえ２ｂで毛束を横に連ね一気に押さえて並列Ｕ字歯間ブラシ部１１を形成した例を示す。
＜変形例２＞
図９は、ヘッド部の中を空洞としたヘッド２に並列Ｕ字歯間ブラシ部１１を形成したもので、歯を包む様に清掃時、ヘッド２がたわむことにより、よりブラシ部が柔軟に歯の並びや、隙間にフィットし易くなる。また、ブラッシング時にヘッド部に歯表面が当たりにくくしたものであり、さらには、ヘッド部が清掃し易くなるものである。
＜変形例３＞
図１３は、歯を包む様に歯の回りの歯周ポケットを清掃すると共に、歯の表面を同時に磨く歯ブラシ部を設けた例を示し、周囲の歯周ポケット清掃部である並列Ｕ字歯間ブラシ部１１を形成し内側に短くした毛束である短い毛束３ｃを植毛した（例えば歯周ポケット清掃部１２ｍｍ、歯表面磨き部８ｍｍ）例を示すと共に、毛束を構成するファイバー先端を徐々に細くなる形状を示す。
図１４は、歯ブラシ１に柄１５に屈曲部７を設け、ヘッド２に並列Ｕ字歯間ブラシ部１１を形成させると共に、並列Ｕ字歯間ブラシ部１１は先端側を長く、柄１５側を短い毛束とし、毛先を傾斜させることにより、歯周ポケットを捉えやすくすると共に、歯の内側をブラッシングする際の歯ブラシ角度を傾斜させ、操作性を増したものである。
しかしながら、逆に歯の外側を清掃する際、柄が口腔側になり操作性が落ちる、このため、ヘッド２と柄１５に屈曲部７の段差を設けることにより、ブラッシング時に、手前の歯や唇にぶつかりにくくするものである。
本考案で柄を上下方向に持ち操作する形態はこの傾向にあり、屈曲部を設ける事が有効である。また、内側、外側を磨く際に、内側、外側専用歯ブラシとする事や、屈曲部を曲げ調整出来る様にする、柄とヘッドを別々とし、角度を変えて柄に差し込む、取り付けるようにしても良い。ヘッドの平面の延長と柄の延長線は平行では無く、ヘッド上部付近で交差する等、顎や、歯並び、唇を加味する、特に奥歯の奥側は柄が邪魔になる事が多くこれを回避する形状とする事が操作性を高めるのに有効である。
【００１１】
＜第４の実施例＞
図８（ａ）はヘッド２に略歯の並びに沿った曲線状に毛束の列を並べて曲線刷毛とし、曲線刷毛の曲線を対峙させる様に略並列に対で並べ植毛し、横部毛束３ｂを形成し、歯並びブラシ部１０としたものである。
図１０は、ヘッド部を二股のヘッド２ｃとし、各ヘッド２ｃに、略楕円状の毛束３を植毛し、歯並びブラシ部１０を構成したものである。
図１１は、歯並びブラシ部１０を設けた歯ブラシで歯を清掃する様子を示し、歯並びに沿った曲線状の毛束の並びにより、毛先が、歯の並びに沿って、歯に密着し、歯と歯肉の間に毛先が効率的にあたる状態を示し、歯の斜め前方外側、奥歯の外側、奥歯の内側を歯並びブラシ部１０は歯並びに沿った線８の様に各歯の歯と歯肉の隙間付近に連続的に当たることを示す。
また、図１２（ａ）は歯並びブラシ部１０を前歯Ａに外側から当た状態を示し、前歯外側の正面歯肉５ａの隙間を毛束３の毛先が捉える。図１２（ｂ）においては奥歯Ｃの根元付近の正面歯肉５ａを毛束３の毛先が捉え、図１２（ｃ）においては奥歯の歯と歯の間、側面の側面歯肉５ｂ歯肉の隙間を捉えている様子を示す。
＜変形例１＞
図８（ｂ）はヘッド２に略歯の並びに沿った曲線状に毛束を並べて曲線刷毛とし、曲線刷毛の曲線を対峙させる様に略並列に対で並べ植毛し、横部毛束３ｂを形成し、歯並びブラシ部１０とし歯並びブラシ部１０において並列末端の一端に末端を繋ぐ様に閉じ部毛束３ａを植毛する事により、歯並びブラシ部を略Ｕ字状に形成し歯並びＵ字ブラシ部１２とした例を示す。
＜変形例２＞
図７は、ヘッド２に略歯の並びに沿った曲線状に毛束の列を並べて曲線刷毛とし、曲線刷毛の曲線を対峙させる様に略並列に対で並べ植毛し、横部毛束３ｂを形成し、歯並びブラシ部とし歯並びブラシ部の並列末端の両端を繋ぐ様に毛束を植毛し、閉じ部毛束３ａを形成し、歯並びブラシ部の形状を楕円形状に形成し歯並び楕円形ブラシ部１４としたものを示す。
歯並び楕円形ブラシ部１４の閉じ部毛束３ａと繋がる横部毛束３ｂで形成するＵ字形成部１６の幅は、略歯幅（例えば奥歯に合わせ１０ｍｍ）とし、このＵ字形成部１６で奥歯の奥を清掃する、または、各歯の一本を包み込むように清掃するものである。
対峙するＵ字形成部１６の歯対応幅を相違させ、先端側を奥歯、対面側を前歯幅のように、
しても良い。
＜変形例３＞
図１７の（ａ）はヘッド２に略歯の並びに沿った曲線状に毛束の列を並べて曲線刷毛とし、曲線刷毛の曲線を対峙させる様に略並列に対で並べ植毛し、横部毛束３ｂを形成し、歯並びブラシ部とし歯並びブラシ部の並列末端の両端を繋ぐ様に毛束を植毛し、閉じ部毛束３ａを形成し、歯並びブラシ部の形状を楕円形状に形成し歯並び楕円形ブラシ部１４としたものを示し、さらに、歯並び楕円形ブラシ部１４の内部に歯並び楕円形ブラシ部１４の毛束３ｂより短くした毛束である短い毛束３ｃを植毛したもので、歯並び楕円形ブラシ部１４で歯間や、歯周ポケットを清掃すると共に、短い毛束３ｃが歯の表面を主に磨くものである。
【００１２】
＜第５の実施例＞
図６（ａ）は、歯ブラシ１に前記Ｕ字状の毛束列である並列Ｕ字歯間ブラシ部１１を横に３連続し並べた例を示し、形成したＵ字状の毛束列を各歯に連続して包み込むように清掃する。
図示していないが、ヘッド部の平面は歯の並びに合わせて密着する様に緩やかに外側や内側に湾曲しても良いものである。
また、それぞれの並列Ｕ字歯間ブラシ部１１平行部の略歯の歯幅間隔は、歯ブラシの先端側を奥歯に合わせ、柄側を前歯に合わせる等、歯幅を変えた組合としても良い。
これらは並列Ｕ字歯間ブラシ部１１に限ら無いものであり、下記での記載は省略する。
＜変形例１＞
図６（ｂ）は、略歯幅に平行に植毛された毛束列の端面の両側に植毛し、略楕円形とした楕円形歯間ブラシ部１３を、横に３連続で形成した例を示す。
＜変形例２＞
図６（ｃ）は平行に植毛された毛束列の一端に毛束を植毛した並列Ｕ字歯間ブラシ部１１の一端側を上下に交互に隣接し植毛形成し、４連続とした例を示す。
＜変形例３＞
図６（ｄ）は毛束列を略平行にした並列歯間ブラシ部１１を隣接して形成し毛束列を４列としたものである。
ここでは、それぞれ、例えば３連続と記しているが、列数を限定するものではない。
また、図示しないが、歯間ブラシ部の形状はそれぞれの形状を組み合わせたものでも良く、隣接させず、間隔を置いて並べたものでも良い。
＜全体の毛束解説＞
この考案全体で、毛束を植毛すると示しているが、図５の様に、毛束を別々に植毛せず一括して押える、張り付ける等により並べても良い、また、ヘッドに対し、毛束は、垂直に植毛されているが、ヘッドに対し、斜めに植毛してもよく、結果的に毛の並びが形成されれば良いものであり、限定するものではない。
また、毛束を構成するファイバーの毛先の形状に関しても、まるや徐々に細くなる等でも良く、それらの組み合わせでも良いものである、又、ファイバーの断面形状もまるや多角形でも良いものでファイバーの形状に影響される訳では無い。
また、図示しないが、それぞれの毛束の列、刷毛は、ヘッドの両面に植毛しても良いものである。
【符号の説明】
【００１３】
１：歯ブラシ
２：ヘッド
２ａ：ヘッド
２ｂ：毛束押さえ
２ｃ：二股ヘッド
３：毛束
３ａ：閉じ部毛束
３ｂ：横部毛束
３ｃ：短い毛束
４：歯
５：外部歯肉
５ａ：正面歯肉
５ｂ：側面歯肉
６：内側歯肉
７：柄屈曲部
８：歯並びに沿った線
９：並列歯間ブラシ部
１０：歯並びブラシ部
１１：並列Ｕ字歯間ブラシ部
１１ａ：並列Ｕ字歯間ブラシ部先端
１２：歯並びＵ字ブラシ部
１３：楕円形歯間ブラシ部
１４：歯並び楕円形ブラシ部
１５：柄
１６：Ｕ字形成部
１７：曲線ブラシ部
１８：先端湾曲の曲線ブラシ部
Ａ：前歯
Ｂ：犬歯
Ｃ：奥歯
【図１】
0003163229.tif 000003
【図２】
0003163229.tif 000004
【図３】
0003163229.tif 000005
【図４】
0003163229.tif 000006
【図５】
0003163229.tif 000007
【図６】
0003163229.tif 000008
【図７】
0003163229.tif 000009
【図８】
0003163229.tif 000010
【図９】
0003163229.tif 000011
【図１０】
0003163229.tif 000012
【図１１】
0003163229.tif 000013
【図１２】
0003163229.tif 000014
【図１３】
0003163229.tif 000015
【図１４】
0003163229.tif 000016
【図１５】
0003163229.tif 000017
【図１６】
0003163229.tif 000018
【図１７】
0003163229.tif 000019
【手続補正書】
【提出日】平成22年6月19日(2010.6.19)
【手続補正１】
【補正対象書類名】明細書
【補正対象項目名】００１２
【補正方法】変更
【補正の内容】
【００１２】
＜第５の実施例＞
図６（ａ）は、歯ブラシ１に前記Ｕ字状の毛束列である並列Ｕ字歯間ブラシ部１１を横に３連続し並べた例を示し、形成したＵ字状の毛束列を各歯に連続して包み込むように清掃する。
図示していないが、ヘッド部の平面は歯の並びに合わせて密着する様に緩やかに外側や内側に湾曲しても良いものである。
また、それぞれの並列Ｕ字歯間ブラシ部１１平行部の略歯の歯幅間隔は、歯ブラシの先端側を奥歯に合わせ、柄側を前歯に合わせる等、歯幅を変えた組合としても良い。
これらは並列Ｕ字歯間ブラシ部１１に限ら無いものであり、下記での記載は省略する。
＜変形例１＞
図６（ｂ）は、略歯幅に平行に植毛された毛束列の端面の両側に植毛し、略楕円形とした楕円形歯間ブラシ部１３を、横に３連続で形成した例を示す。
＜変形例２＞
図６（ｃ）は平行に植毛された毛束列の一端に毛束を植毛した並列Ｕ字歯間ブラシ部１１の一端側を上下に交互に隣接し植毛形成し、４連続とした例を示す。
＜変形例３＞
図６（ｄ）は毛束列を略平行にした並列歯間ブラシ部１１を隣接して形成し毛束列を４列としたものである。
ここでは、それぞれ、例えば３連続と記しているが、列数を限定するものではない。
また、図示しないが、歯間ブラシ部の形状はそれぞれの形状を組み合わせたものでも良く、隣接させず、間隔を置いて並べたものでも良い。
＜全体の毛束解説＞
この考案全体で、毛束を植毛すると示しているが、図５の様に、毛束を別々に植毛せず一括して押える、張り付ける等により並べても良い、また、ヘッドに対し、毛束は、垂直に植毛されているが、ヘッドに対し、斜めに植毛してもよく、結果的に毛の並びが形成されれば良いものであり、限定するものではない。
また、毛束を構成するファイバーの毛先の形状に関しても、まるや徐々に細くなる等でも良く、それらの組み合わせでも良いものである、又、ファイバーの断面形状もまるや多角形でも良いものでファイバーの形状に影響される訳では無い。
また、図示しないが、それぞれの毛束の列、刷毛は、ヘッドの両面に植毛しても良いものである。
また、図示しないが、ここでの歯間磨き歯ブラシは、手動でも、電動でもよく、電動の場合はヘッド部を交換式にしても良いと共に、振動元に超音波等を用いてもよいものであり、特に制限するものではない。
【手続補正書】
【提出日】平成22年6月19日(2010.6.19)
【手続補正１】
【補正対象書類名】明細書
【補正対象項目名】００１２
【補正方法】変更
【補正の内容】
【００１２】
＜第５の実施例＞
図６（ａ）は、歯ブラシ１に前記Ｕ字状の毛束列である並列Ｕ字歯間ブラシ部１１を横に３連続し並べた例を示し、形成したＵ字状の毛束列を各歯に連続して包み込むように清掃する。
図示していないが、ヘッド部の平面は歯の並びに合わせて密着する様に緩やかに外側や内側に湾曲しても良いものである。
また、それぞれの並列Ｕ字歯間ブラシ部１１平行部の略歯の歯幅間隔は、歯ブラシの先端側を奥歯に合わせ、柄側を前歯に合わせる等、歯幅を変えた組合としても良い。
これらは並列Ｕ字歯間ブラシ部１１に限ら無いものであり、下記での記載は省略する。
＜変形例１＞
図６（ｂ）は、略歯幅に平行に植毛された毛束列の端面の両側に植毛し、略楕円形とした楕円形歯間ブラシ部１３を、横に３連続で形成した例を示す。
＜変形例２＞
図６（ｃ）は平行に植毛された毛束列の一端に毛束を植毛した並列Ｕ字歯間ブラシ部１１の一端側を上下に交互に隣接し植毛形成し、４連続とした例を示す。
＜変形例３＞
図６（ｄ）は毛束列を略平行にした並列歯間ブラシ部１１を隣接して形成し毛束列を４列としたものである。
ここでは、それぞれ、例えば３連続と記しているが、列数を限定するものではない。
また、図示しないが、歯間ブラシ部の形状はそれぞれの形状を組み合わせたものでも良く、隣接させず、間隔を置いて並べたものでも良い。
＜全体の毛束解説＞
この考案全体で、毛束を植毛すると示しているが、図５の様に、毛束を別々に植毛せず一括して押える、張り付ける等により並べても良い、また、ヘッドに対し、毛束は、垂直に植毛されているが、ヘッドに対し、斜めに植毛してもよく、結果的に毛の並びが形成されれば良いものであり、限定するものではない。
また、毛束を構成するファイバーの毛先の形状に関しても、まるや徐々に細くなる等でも良く、それらの組み合わせでも良いものである、又、ファイバーの断面形状もまるや多角形でも良いものでファイバーの形状に影響される訳では無い。
また、それぞれの毛束の列は、ヘッドの両面に植毛しても良いものである。
また、毛束の周辺にゴム、エラストマー等の柔軟材で形成した歯茎をマッサージする部材等を付加しても良いものである。
＜歯間磨き歯ブラシの構成解説＞
本考案の歯間磨き歯ブラシは、手動でも、電動でもよく、電動の場合はヘッド部を交換式にしても良いと共に、振動元に超音波等を用いてもよいものであり、特に制限するものではない。